(57)【要約】  色汚れ洗浄システムを備える自動食器洗浄に用いるための洗剤又は漂白組成物であって、前記色汚れ洗浄システムは、ジアシル及び／又はテトラアシル過酸化物漂白種並びに共漂白界面活性剤を含み、前記ジアシル過酸化物漂白種は、次の一般式  Ｒ1−Ｃ（Ｏ）−ＯＯ−（Ｏ）Ｃ−Ｒ2  ［式中、Ｒ1はＣ6〜Ｃ18アルキル基を表し、Ｒ2は過酸化物部分と相溶性のある脂肪族基を表し、Ｒ1及びＲ2は全体で総数８〜３０個の炭素原子を含有する］を有するジアシル過酸化物から選択され、前記テトラアシル過酸化物漂白種は、次の一般式  Ｒ3−Ｃ（Ｏ）−ＯＯ−Ｃ（Ｏ）−（ＣＨ2）ｎ−Ｃ（Ｏ）−ＯＯ−Ｃ（Ｏ）−Ｒ3  ［式中、Ｒ3はＣ1〜Ｃ9アルキル基を表し、ｎは２〜１２の整数を表す］を有するテトラアシル過酸化物から選択され、及び、前記共漂白界面活性剤は、エトキシ化アルコール類、アミンオキシド界面活性剤及びそれらの混合物から選択される洗浄性界面活性剤を含む。【特許請求の範囲】
【請求項１】
色汚れ洗浄システムを備える自動食器洗浄に用いるための洗剤又は漂白組成物であって、前記色汚れ洗浄システムは、ジアシル及び／又はテトラアシル過酸化物漂白種並びに共漂白界面活性剤を含み、前記ジアシル過酸化物漂白種は、次の一般式
Ｒ1−Ｃ（Ｏ）−ＯＯ−（Ｏ）Ｃ−Ｒ2
［式中、Ｒ1はＣ6〜Ｃ18アルキル基を表し、Ｒ2は過酸化物部分と相溶性のある脂肪族基を表し、Ｒ1及びＲ2は全体で総数８〜３０個の炭素原子を含有する］
を有するジアシル過酸化物から選択され、前記テトラアシル過酸化物漂白種は、次の一般式
Ｒ3−Ｃ（Ｏ）−ＯＯ−Ｃ（Ｏ）−（ＣＨ2）ｎ−Ｃ（Ｏ）−ＯＯ−Ｃ（Ｏ）−Ｒ3
［式中、Ｒ3はＣ1〜Ｃ9アルキル基を表し、ｎは２〜１２の整数を表す］
を有するテトラアシル過酸化物から選択され、及び、前記共漂白界面活性剤は、エトキシ化アルコール類、アミンオキシド界面活性剤及びそれらの混合物から選択される洗浄性界面活性剤を含む組成物。
【請求項２】
前記組成物は、泡抑制剤として機能する低起泡性非イオン性界面活性剤を含む、請求項１に記載の組成物。
【請求項３】
前記共漂白界面活性剤は、洗浄温度より高い曇点を有する、請求項１又は２に記載の組成物。
【請求項４】
前記界面活性剤は、総量で、洗浄溶液の少なくとも約５０重量ｐｐｍを提供するのに十分な量で存在する、請求項３に記載の組成物。
【請求項５】
前記共漂白界面活性剤は、エトキシ化アルコールであり、前記組成物は、酵素を更に含む、請求項１から４のいずれか１項に記載の組成物。
【請求項６】
前記漂白種は、前記洗浄溶液の約０．５〜約６０重量ｐｐｍを提供するのに十分な量で存在する、請求項１から５のいずれか１項に記載の組成物。
【請求項７】
界面活性剤の総量対漂白種が、少なくとも約３：１の重量比である、請求項１から６のいずれか１項に記載の組成物。
【請求項８】
区画の１つが前記漂白種を含む粉末を含有し、別の区画が共漂白界面活性剤を含む液体を含有する複数区画パウチの形態にある、請求項１から７のいずれか１項に記載の組成物。
【請求項９】
汚れの存在下にて、色汚れした疎水性基材を洗浄する方法であって：
（ａ）色汚れした疎水性基材を含む汚れ物を皿洗い機の中へ導入する工程と；
（ｂ）前記汚れ物を、ジアシル及び／又はテトラアシル過酸化物漂白種並びに共漂白界面活性剤を含む洗浄溶液で処理する工程であって、前記ジアシル過酸化物漂白種は、次の一般式
Ｒ1−Ｃ（Ｏ）−ＯＯ−（Ｏ）Ｃ−Ｒ2
［式中、Ｒ1はＣ6〜Ｃ18アルキル基を表し、Ｒ2は過酸化物部分と相溶性のある脂肪族基を表し、Ｒ1及びＲ2は全体で総数８〜３０個の炭素原子を含有する］
を有するジアシル過酸化物から選択され、前記テトラアシル過酸化物漂白種は、次の一般式
Ｒ3−Ｃ（Ｏ）−ＯＯ−Ｃ（Ｏ）−（ＣＨ2）ｎ−Ｃ（Ｏ）−ＯＯ−Ｃ（Ｏ）−Ｒ3
［式中、Ｒ3はＣ1〜Ｃ9アルキル基を表し、ｎは２〜１２の整数を表す］
を有するテトラアシル過酸化物から選択され、及び、前記共漂白界面活性剤は、エトキシ化アルコール、アミンオキシド界面活性剤及びそれらの混合物から選択される洗浄性界面活性剤を含む工程と
を含む方法。
【請求項１０】
前記洗浄温度は、前記共漂白界面活性剤の曇点未満であり、前記洗浄溶液は、当該洗浄溶液の約５０〜約４００重量ｐｐｍの共漂白界面活性剤及び約０．５〜約６０ｐｐｍの漂白種を含む、請求項９に記載の方法。
【発明の詳細な説明】
【技術分野】
【０００１】
本発明は、ジアシル及び／又はテトラアシル過酸化物漂白種を含み、改良された漂白性能を有する、洗剤及び漂白剤組成物に関する。
【背景技術】
【０００２】
自動食器洗浄中に発生するよく認識された問題は、プラスチック及び他の疎水性基材からの色汚れの除去である。ＰＣＴ国際公開特許ＷＯ９５／１９１３２は、プラスチック基材からの漂白可能な汚れの除去を高めるためジアシル及び／又はテトラアシル過酸化物漂白種の使用を提案している。
【発明の開示】
【発明が解決しようとする課題】
【０００３】
食器洗浄条件がより過酷になるに従い、即ち食器洗浄対象物がより高濃度の汚れを有するに従って、ＰＣＴ国際公開特許ＷＯ９５／１９１３２によって提案された解決策が、より一層不満足な結果を生じることが明らかとなった。
【課題を解決するための手段】
【０００４】
本発明の第一の態様により、色汚れ洗浄システムを備える自動食器洗浄に用いるための洗剤又は漂白組成物であって、前記色汚れ洗浄システムは、ジアシル及び／又はテトラアシル過酸化物漂白種並びに共漂白界面活性剤を含み、前記ジアシル過酸化物漂白種は、次の一般式
Ｒ1−Ｃ（Ｏ）−ＯＯ−（Ｏ）Ｃ−Ｒ2
［式中、Ｒ1はＣ6〜Ｃ18アルキル基を表し、Ｒ2は過酸化物部分と相溶性のある脂肪族基を表し、Ｒ1及びＲ2は全体で総数８〜３０個の炭素原子を含有する］
を有するジアシル過酸化物から選択され、前記テトラアシル過酸化物漂白種は、次の一般式
Ｒ3−Ｃ（Ｏ）−ＯＯ−Ｃ（Ｏ）−（ＣＨ2）ｎ−Ｃ（Ｏ）−ＯＯ−Ｃ（Ｏ）−Ｒ3
［式中、Ｒ3はＣ1〜Ｃ9アルキル基を表し、ｎは２〜１２の整数を表す］
を有するテトラアシル過酸化物から選択され、及び、前記共漂白界面活性剤は、好ましくはエトキシ化アルコール類、アミンオキシド界面活性剤及びそれらの混合物から選択される洗浄性界面活性剤を含む組成物が提供される。
【０００５】
色汚れは、ラザニアなどのトマト汚れ、調理済みニンジンなどのカロチン汚れ（リコピン汚れとしても知られる）、カレーソース及びそれらの混合物を含有する汚れによって主として引き起こされる。これらの汚れは、プラスチックなどの疎水性表面から除去することが特に困難である。皿洗い機内に汚れが存在する場合には、洗浄がより困難である。他の汚れが存在しない場合に色汚れを除去することができる組成物は、汚れが存在する場合に（普通の食器洗浄対象物の場合のように）同程度の除去性能を達成できるようには見えないが、この効果は高濃度のグリース状／油状の汚れを含有する食器洗浄対象物の場合にはより深刻である。満足できる染み除去は、比較的高濃度の漂白種を用いても得られない場合がある。改良された色汚れ除去は、本発明の組成物を用いて得られる。
【０００６】
「共漂白界面活性剤」とは、前記ジアシル及び／又はテトラアシル漂白種が、その漂白機能を発揮する手助けをする界面活性剤を意味する。前記共漂白界面活性剤は、単一界面活性剤であり得るが、好ましくはその混合物である。本明細書で使用されるエトキシ化アルコール類界面活性剤は、本質的にエトキシ基以外のアルコキシ基を有しない。
【０００７】
好ましい実施形態では、前記共漂白界面活性剤は（好ましくは共漂白界面活性剤が、エトキシ化アルコールを含む場合）、洗浄温度より高い、即ち約５０℃より高い、より好ましくは約６０℃より高い曇点を有する。
【０００８】
理論に束縛されるものではないが、前記漂白種は水中で難溶解性を有するが、これは前記共漂白界面活性剤によって改善されるものと思われる。更に、前記共漂白界面活性剤は、漂白種の再凝集を排除し、更にそれらの可溶化に貢献するように見える。前記共漂白界面活性剤が、前記漂白種を前記の汚れた基材に作用する手助けをするとも考えられる。更に、前記界面活性剤は、油汚れを乳化して基材上への再付着を防止するように見える。前記漂白種は、基材に結合した汚れに対してだけでなく、乳化された汚れに対しても作用する。これら全ての要因の組み合わせにより、色汚れの除去能力が向上した組成物が生まれる。
【０００９】
好ましくは、前記組成物は共漂白界面活性剤（エトキシ化アルコール類、アミンオキシド界面活性剤及びそれらの混合物）と、泡抑制剤として機能する低起泡性非イオン性界面活性剤との混合物とを含む。前記共漂白界面活性剤が、エトキシ化アルコールを含む場合、好ましくは前記エトキシ化アルコール対前記泡抑制剤の重量比が、少なくとも約１：１、より好ましくは約１．５：１、更により好ましくは約１．８：１である。これは、性能の観点から好ましい。
【００１０】
最良性能を得るために、界面活性剤の総量が比較的高濃度であることが好ましいことが明らかとなった。このため、好ましい実施形態では、全界面活性剤は洗浄溶液の少なくとも５０重量ｐｐｍ、より好ましくは少なくとも約１００重量ｐｐｍ、更により好ましくは少なくとも約４００重量ｐｐｍを提供するのに十分な量で存在する。
【００１１】
好ましい実施形態では、前記共漂白界面活性剤はエトキシ化アルコールであり、前記組成物は酵素を更に含む。これらの組成物は、最適な色汚れ除去を可能にし、同時に、最適な酵素汚れ除去を可能にする。いくつかの洗浄性界面活性剤は、酵素類と相互作用する傾向を示し、それらの性能を低下させるが、この相互作用はエトキシ化アルコール界面活性剤類の場合には、存在しないように見える。
【００１２】
好ましくは、前記ジアシル及び／又はテトラアシル過酸化物漂白種は、洗浄溶液の少なくとも０．５重量ｐｐｍ、より好ましくは少なくとも１０ｐｐｍ、更により好ましくは少なくとも５０ｐｐｍを提供するのに十分な量で存在する。好ましい実施形態では、前記漂白種は、洗浄溶液の約０．５〜約６０重量ｐｐｍ、より好ましくは約５〜約３０ｐｐｍを提供するのに十分な量で存在する。
【００１３】
別の好ましい実施形態では、全界面活性剤及び漂白種は、少なくとも約３：１、より好ましくは少なくとも約５：１、更により好ましくは少なくとも約８：１の重量比であり、これらの比が漂白種の最良性能を保証する。
【００１４】
本発明の別の態様では、ジアシル及び／又はテトラアシル過酸化物漂白種並びに共漂白界面活性剤を含む色汚れ洗浄システムを備える自動食器洗浄に用いるための洗剤又は漂白組成物であって、ジアシル及び／又はテトラアシル過酸化物漂白種並びに共漂白界面活性剤を含み、前記ジアシル過酸化物漂白種は、次の一般式
Ｒ1−Ｃ（Ｏ）−ＯＯ−（Ｏ）Ｃ−Ｒ2
［式中、Ｒ1はＣ6〜Ｃ18アルキル基を表し、Ｒ2は過酸化物部分と相溶性のある脂肪族基を表し、Ｒ1及びＲ2は全体で総数８〜３０個の炭素原子を含有する］
を有するジアシル過酸化物から選択され、前記テトラアシル過酸化物漂白種は、次の一般式
Ｒ3−Ｃ（Ｏ）−ＯＯ−Ｃ（Ｏ）−（ＣＨ2）ｎ−Ｃ（Ｏ）−ＯＯ−Ｃ（Ｏ）−Ｒ３
［式中、Ｒ3はＣ1〜Ｃ9アルキル基を表し、ｎは２〜１２の整数を表す］
を有するテトラアシル過酸化物から選択され、及び、前記共漂白界面活性剤は、洗浄温度より高い、即ち約５０℃より高い、より好ましくは約６０℃より高い曇点を有する組成物が提供される。
【００１５】
本発明の更に別の態様では、色汚れ洗浄システムを備える自動食器洗浄に用いるための洗剤又は漂白組成物であって、前記色汚れ洗浄システムは、ジアシル及び／又はテトラアシル過酸化物漂白種並びに共漂白界面活性剤を含み、前記ジアシル過酸化物漂白種は、次の一般式
Ｒ1−Ｃ（Ｏ）−ＯＯ−（Ｏ）Ｃ−Ｒ2
［式中、Ｒ1はＣ6〜Ｃ18アルキル基を表し、Ｒ2は過酸化物部分と相溶性のある脂肪族基を表し、Ｒ1及びＲ2は全体で総数８〜３０個の炭素原子を含有する］
を有するジアシル過酸化物から選択され、前記テトラアシル過酸化物漂白種は、次の一般式
Ｒ3−Ｃ（Ｏ）−ＯＯ−Ｃ（Ｏ）−（ＣＨ2）ｎ−Ｃ（Ｏ）−ＯＯ−Ｃ（Ｏ）−Ｒ3
［式中、Ｒ3はＣ1〜Ｃ9アルキル基を表し、ｎは２〜１２の整数を表す］
を有するテトラアシル過酸化物から選択され、及び、前記共漂白界面活性剤及び前記漂白種の重量比が、少なくとも約５：１、好ましくは少なくとも約８：１、より好ましくは少なくとも約１０：１である組成物が提供される。
【００１６】
本発明の組成物は、好ましくは粉末又は任意の他の固形である。通常、前記界面活性剤は液体又はペースト形態であり、界面活性剤の濃度は高いが、これが漂白種の安定性に悪影響を与える場合がある。この問題は、パウチなどの複数区画単位用量製品（そこに界面活性剤の一部又は全てを異なる区画に入れて、そこに漂白種を入れ、ホストゲスト錯体／界面活性剤相互作用を低減し、それによって前記組成物の安定性を向上させる）の使用によって克服又は最小化することができる。
【００１７】
本発明の別の態様により、本発明の組成物を使用した、汚れの存在下での色汚れした疎水性基材の洗浄方法が提供され、好適な実施例では、洗浄は共漂白界面活性剤の曇点より低い温度で生じる。前記洗浄溶液が、当該洗浄溶液の約４００〜約５００重量ｐｐｍ、より好ましくは約１００〜約３００重量ｐｐｍの共漂白界面活性剤、及び約０．５〜約６０重量ｐｐｍ、より好ましくは約５〜約４０重量ｐｐｍの漂白種を含むことも好ましい。前記方法は、単一及び複数サイクルの利点並びに洗浄済み基材上への色汚れの再付着防止を提供する。
【発明を実施するための最良の形態】
【００１８】
本発明は、ある特定の化学式を有するジアシル及び／又はテトラアシル過酸化物種を含む洗剤及び漂白組成物に関する。前記組成物は、好ましくは固形又は単位用量形態、例えば粉末、錠剤又はパウチ形態であるが、液状形態であることもできる。液体タイプの組成物は、液体が漂白種と反応しないような処方、例えば無水処方を含む。前記洗剤組成物は、自動食器洗浄工程において、ひどい汚れの存在下で、疎水性基材から色汚れを除去するために特に有用である。前記漂白組成物は、他の洗剤組成物又はそれら自身と組み合わせて、添加物として使用することが可能である。
【００１９】
本明細書の洗剤及び漂白組成物は、従来の洗浄性構成成分を含む。組成物、特に洗剤組成物は通常、ビルダーであり、着色剤、追加の漂白剤、界面活性剤、アルカリ性供給源、酵素、腐食防止剤（例えば、ケイ酸ナトリウム）及び破壊剤（粉末、顆粒又は錠剤の場合）を含む。極めて好ましい洗剤構成成分としては、ビルダー化合物、アルカリ性供給源、界面活性剤、酵素及び追加の漂白剤が挙げられる。
【００２０】
好ましくは、本発明の組成物は、ジアシル及び／又はテトラアシル過酸化物に加えて、追加の漂白剤を含む。好ましくは、前記追加の漂白剤は過炭酸塩であり、前記組成物の約１重量％〜約８０重量％の濃度であり、洗剤組成物の場合には、当該濃度は前記組成物の約２重量％〜約４０重量％、より好ましくは約３重量％〜約３０重量％である。
【００２１】
ジアシル及びテトラアシル過酸化物漂白種
ジアシル過酸化物漂白種は、次の一般式を有するジアシル過酸化物から選択される。
Ｒ1−Ｃ（Ｏ）−ＯＯ−（Ｏ）Ｃ−Ｒ2
［式中、Ｒ1はＣ6〜Ｃ18アルキル、好ましくは、少なくとも５個の炭素原子の直鎖を含有し、所望により１つ以上の置換基（例えば、−Ｎ+（ＣＨ3）3、−ＣＯＯＨ又は−ＣＮ）及び／又はアルキルラジカルの隣接炭素原子間に挿入された１つ以上の妨害部分（例えば、−ＣＯＮＨ−又は−ＣＨ＝ＣＨ−）を含有するＣ6〜Ｃ12アルキル基を表し、Ｒ2は過酸化物部分と相溶性のある脂肪族基を表し、ここでＲ1及びＲ2は合わせて総数８〜３０個の炭素原子を含む。］好ましい一態様では、Ｒ1及びＲ2は直鎖非置換Ｃ6〜Ｃ12アルキル鎖である。最も好ましくは、Ｒ1及びＲ2は同一である。ジアシル過酸化物（Ｒ1及びＲ2の両方がＣ6〜Ｃ12アルキル基である）が、特に好ましい。
【００２２】
テトラアシル過酸化物漂白種は、次の一般式を有するテトラアシル過酸化物から選択される。
Ｒ3−Ｃ（Ｏ）−ＯＯ−Ｃ（Ｏ）−（ＣＨ2）ｎ−Ｃ（Ｏ）−ＯＯ−Ｃ（Ｏ）−Ｒ3
［式中、Ｒ3はＣ1〜Ｃ9、好ましくはＣ3〜Ｃ7アルキル基を表し、ｎは２〜１２の、好ましくは４〜１０の整数を表す。］
【００２３】
前記ジアシル及びテトラアシル漂白種は、好ましくは、本発明の組成物中に「ホストゲスト複合体」中の「ゲスト」分子として組み込まれ、ここで漂白種の分子はそれらをホスト受容体部位に包含することで単独で互いに分離される。これは、保存安定性を向上させる。ホストは、例えば比較的開いた構造を有し、それがゲスト分子によって占有される部位を提供し、これにより、ホストゲスト複合体を形成する無機又は有機結晶でもよい。好適なホストの例としては、尿素包接化合物及びシクロデキストリン、特にβ−シクロデキストリンを含む、ある種の包接化合物又は包含化合物が挙げられる。前記ホストは、最も好ましくは水溶性であり、ホスト漂白種複合体を水性媒体、例えば洗浄液中に導入する際に、漂白種を効果的に放出及び分散することができる。ジアシル及びテトラアシル漂白種の尿素包接化合物は、ＰＣＴ国際公開特許ＷＯ９３／０７０８６及び同ＷＯ９５／１９１３２の両方に開示されている。
【００２４】
好ましくは、前記漂白種は、Ｒ１及びＲ２の両方が、Ｃ６〜Ｃ１２非置換アルキル基のジアシル過酸化物であり、本明細書での使用により好ましいものは、Ｒ１及びＲ２の両方がＣ８、Ｃ９、Ｃ１０又はＣ１１のジアシル過酸化物である。好ましくは、前記ホストゲスト複合体は、尿素包接化合物である。前記尿素は過酸化物分子がホストとなり、過酸化物分子間の相互作用を阻害し、それによって過酸化物の不安定性を低減させる、空洞の三次元網状組織を形成するようである。尿素は、水溶性が高く、速やかに漂白種を洗浄溶液中に放出する。
【００２５】
好ましくは、前記ホストゲスト複合体は、凝集体の形態である。用語「凝集体」とは広く、造粒、アグロメレーション、押出成形、圧縮、封入等を含む、周知の粉末処理技術のいずれかに従う一次ホストゲスト複合体粒子の凝集により形成される二次粒子を指す。好ましくは、前記ホストゲスト複合体は、少なくとも約１０６ミクロン（前記凝集体粒子の約５０重量％超が、１０６ミクロンの開口のメッシュ（ふるい寸法１４０番、ＵＳメッシュ１０５）を有するふるい上に保持される）の凝集体粒径及び少なくとも約５００ｇ／Ｌの密度を有し、より好ましくは前記凝集体は、少なくとも約６００ｇ／Ｌ、更により好ましくは少なくとも約７００ｇ／Ｌの密度を有する。
【００２６】
共漂白界面活性剤
前記共漂白界面活性剤は、単一界面活性剤又はそれらの混合物であることができ、好ましくは洗浄温度より高い曇点、即ち好ましくは約４０℃より高く、より好ましくは約５０℃より高く、更に一層好ましくは約６０℃より高い曇点を有する共漂白界面活性剤を１つ以上含む。本明細書で使用するとおり「曇点」とは、温度が上がるにつれて界面活性剤の溶解性が低下するという、界面活性剤及びその混合物の周知の特性であり、セカンド・フェーズの出現が観察できる温度を「曇点」と呼ぶ（カーク・オスマー（Kirk−Othmer）著、工業化学百科事典（第３版、第２２巻、３６０〜３６２頁）を参照のこと）。
【００２７】
本明細書に用いるのに好ましい共漂白界面活性剤としては、脂肪族アルコール類（アルコール１モルにつき、平均で約４〜約１０、好ましくは約５〜約８モルのエチレンオキシドが本明細書に用いるのに好適である）の直鎖及び分岐鎖アルキルエトキシ化縮合生成物が挙げられる。脂肪族アルコールのアルキル鎖は、一般に約６〜約１５個、好ましくは約８〜約１４個の炭素原子を含有する。特に好ましいのは、約８〜約１３個の炭素原子を含有するアルキル基を有するアルコールと、アルコール１モル当たり平均約６〜約８モルのエチレンオキシドとの縮合生成物である。好ましくは少なくとも２５％、より好ましくは少なくとも７５％の界面活性剤は、直鎖エトキシ化一級アルコールである。前記界面活性剤のＨＬＢ（親水性−親油性バランス）が、約１８未満、好ましくは約１５未満、更により好ましくは１４未満であることも好ましい。好ましくは、前記界面活性剤はプロポキシ基を実質的に含まない。本明細書で使用する市販の製品としては、ＢＡＳＦから提供されるルテンゾール（Lutensol）（登録商標）ＴＯシリーズ（エトキシ化Ｃ１３オキソアルコール）が挙げられ、特に本明細書に用いるのに好適なのはルテンゾール（Lutensol）（登録商標）ＴＯ７である。
【００２８】
アミンオキシド界面活性剤も本発明において有用であり、次式を有する直鎖及び分岐鎖化合物が挙げられる。
【００２９】
【化１】
2008533242.tif 000002
［式中、Ｒ3は８〜２６個の炭素原子、好ましくは８〜１８個の炭素原子を含有する、アルキル、ヒドロキシアルキル、アシルアミドプロピル及びアルキルフェニル基、又はそれらの混合物から選択され、Ｒ4は２〜３個の炭素原子、好ましくは２個の炭素原子を含有するアルキレン又はヒドロキシアルキレン基、又はそれらの混合物であり、ｘは０〜５、好ましくは０〜３であり、各Ｒ5は１〜３個、好ましくは１〜２個の炭素原子を含有するアルキル又はヒドロキシアルキル基、又は１〜３個、好ましくは１個のエチレンオキシド基を含有するポリエチレンオキシド基である。Ｒ5基は例えば酸素原子又は窒素原子を介して互いに結合させ、環状構造を形成できる。］
【００３０】
これらのアミンオキシド界面活性剤類としては、特に、Ｃ10〜Ｃ18アルキルジメチルアミンオキシド類、及びＣ8〜Ｃ18アルコキシエチルジヒドロキシエチルアミンオキシド類が挙げられる。このような物質の例としては、ジメチルオクチルアミンオキシド、ジエチルデシルアミンオキシド、ビス−（２−ヒドロキシエチル）ドデシルアミンオキシド、ジメチルドデシルアミンオキシド、ジプロピルテトラデシルアミンオキシド、メチルエチルヘキサデシルアミンオキシド、ドデシルアミドプロピルジメチルアミンオキシド、セチルジメチルアミンオキシド、ステアリルジメチルアミンオキシド、タロージメチルアミンオキシド、及びジメチル−２−ヒドロキシオクタデシルアミンオキシドが挙げられる。Ｃ10〜Ｃ18アルキルジメチルアミンオキシド及びＣ10〜18アシルアミドアルキルジメチルアミンオキシドが好ましい。
【００３１】
泡抑制剤
泡抑制剤として用いる界面活性剤は、好ましくは低曇点を有する非イオン性界面活性剤である。本明細書で使用するとおり、「低曇点」非イオン性界面活性剤とは、３０℃未満、好ましくは約２０℃未満、更により好ましくは約１０℃未満、最も好ましくは約７．５℃未満の曇点を有する非イオン性界面活性剤系成分として定義される。典型的な低曇点非イオン性界面活性剤としては、非イオン性アルコキシル化界面活性剤、特に第一級アルコールから誘導されるエトキシレート類、及びポリオキシプロピレン／ポリオキシエチレン／ポリオキシプロピレン（ＰＯ／ＥＯ／ＰＯ）逆ブロックポリマーが挙げられる。また、このような低曇点非イオン性界面活性剤としては、例えば、エトキシ化−プロポキシル化アルコール（例えば、オリン社（Olin Corporation）のポリ−タージェント（POLY-TERGENT）（登録商標）ＳＬＦ１８）及びエポキシ末端保護ポリ（オキシアルキル化）アルコール類（例えば、米国特許第５，５７６，２８１号に記載されているように、オリン社（Olin Corporation）のポリ−タージェント（Poly-Tergent）（登録商標）ＳＬＦ１８Ｂ（非イオン性物質シリーズ））が挙げられる。
【００３２】
他の好適な低曇点界面活性剤は、次式を有するエーテル末端保護ポリ（オキシアルキル化）泡抑制剤である。
【００３３】
【化２】
2008533242.tif 000003
［式中、Ｒ1は平均約７〜約１２個の炭素原子を有する直鎖アルキル炭化水素であり、Ｒ2は約１〜約４個の炭素原子の直鎖アルキル炭化水素であり、Ｒ3は約１〜約４個の炭素原子の直鎖アルキル炭化水素であり、ｘは約１〜約６の整数であり、ｙは約４〜約１５の整数であり、ｚは約４〜約２５の整数である。］
【００３４】
他の低曇点非イオン性界面活性剤は、次式を有するエーテル末端保護ポリ（オキシアルキル化）である。
ＲIＯ（ＲIIＯ）nＣＨ（ＣＨ3）ＯＲIII
［式中、ＲIは約７〜約１２個の炭素原子を有する、直鎖又は分枝鎖、飽和又は不飽和、置換又は非置換、脂肪族又は芳香族の炭化水素ラジカル類から成る群から選択され、ＲIIは同一でも異なっていても良く、任意の所与の分子内の分岐鎖又は直鎖Ｃ2〜Ｃ7アルキレンから成る群から独立して選択され、ｎは１〜約３０の数であり、ＲIIIは以下から成る群から選択される。
（ｉ）１〜３個のヘテロ原子を含有する、４〜８員の置換又は非置換の複素環、及び
（ｉｉ）約１〜約３０個の炭素原子を有する直鎖又は分枝鎖、飽和又は不飽和、置換又は非置換、環式又は非環式、脂肪族又は芳香族の炭化水素ラジカル類、
（ｂ）但し、Ｒ2が（ｉｉ）である時、（Ａ）Ｒ1の少なくとも１つがＣ2〜Ｃ3アルキレン以外であるか、又は（Ｂ）Ｒ2が６〜３０個の炭素原子を有し、更にＲ2が８〜１８個の炭素原子を有する時、ＲはＣ1〜Ｃ5のアルキル以外であることを条件とする。］
【００３５】
非イオン性泡抑制剤が使用される場合、それらは好ましくは当該組成物の約５重量％〜約４０重量％、好ましくは約８重量％〜約３５重量％、より好ましくは約１０重量％〜約２５重量％の濃度で使用される。
【００３６】
前記共漂白界面活性剤は、本発明の組成物中にて、組成物の約２重量％〜約３０重量％、より好ましくは約４重量％〜約２５重量％、更により好ましくは約３重量％〜約２０重量％の濃度で、好ましくは使用される。前記エトキシ化アルコール類、前記アミンオキシド界面活性剤及びそれらの混合物が、組成物の少なくとも２重量％、より好ましくは約３重量％の濃度であることも好ましい。好ましい実施形態では、前記エトキシ化アルコール類は組成物の約３重量％超、より好ましくは約４重量％超の濃度である。
【実施例】
【００３７】
実施例で使用する略語
実施例では、省略された構成成分の識別表示は、次の意味を有する。
【００３８】
【表１】
2008533242.tif 000004
【００３９】
以下の実施例において、全ての濃度は重量パーセント（％）として引用される。
【００４０】
組成物Ａ〜Ｃは、重ねておかれる２区画・ＰＶＡ方形ベースパウチに導入される。２区画のパウチを、クリス−クラフト・インダストリアル・プロダクツ（Chris-Craft Industrial Products）によって供給されるモノゾル（Monosol）Ｍ８６３０フィルムから製造する。１８ｇの固形組成物及び２ｇの液体組成物を、パウチの２つの異なる区画に配置する。パウチは、ＰＶＡフィルムで開いたポケットを作製し、それに固体組成物を満たし、開いたポケットの上にＰＶＡフィルムを配置し、２つのフィルムを封止して新しい開いたポケットを造ることにより製造され、新しいポケットは液体組成物で満たされ、その上に一片のＰＶＡが配置され、新しいポケットが封止されることにより２区画パウチを生じさせる。
【００４１】
【表２】
2008533242.tif 000005
【００４２】
本発明の組成物の有効性は、ボッシュ（Bosch）社製６０３２皿洗い機内のラグー（Ragu）オリジナルソースで汚した２本のラバーメイド社製スパチュラを洗浄することによって検査する。前記スパチュラは、６５Ｅサイクルで１００ｇのラグー（Ragu）オリジナルソースをメイン洗浄に添加した皿洗い機内にそれらを配置することによって事前に汚しておく。
【００４３】
２本の事前に汚したスパチュラを、ボッシュ（Bosch）社製６０３２の刃物類バスケットに配置する。組成物Ａのパウチを、前記皿洗い機のディスペンサー内に配置する。６５Ｅサイクルを稼働させる。４０ｇのラグー（Ragu）オリジナルソースをメイン洗浄の開始時に添加する。優れたクリーニング性能が得られた。
【国際調査報告】
2008533242.tif 000006
2008533242.tif 000007
2008533242.tif 000008